(57)【要約】【課題】部品点数が増加するのを抑制し、かつ、リアフレームを適切に後部筐体として利用することが可能な表示装置を提供する。【解決手段】このＴＶ１００（表示装置）は、液晶セル５１と、液晶セル５１の縁部近傍に配置され、液晶セル５１を背面側から支持する樹脂フレーム６と、液晶セル５１の背面側に配置されるとともに、縁部が前方側の内側に向けて折り曲げられることにより形成された第１折曲部２１ａおよび第２折曲部２１ｂを含み、第１折曲部２１ａおよび第２折曲部２１ｂが少なくとも樹脂フレーム６を固定する固定部として用いられる板金製のリアフレーム２とを備える。【選択図】図２
2014134595.tif 000002
【特許請求の範囲】
【請求項１】
表示部と、
前記表示部の縁部近傍に配置され、前記表示部を背面側から支持する樹脂フレームと、
前記表示部の背面側に配置されるとともに、縁部が前方側の内側に向けて折り曲げられることにより形成された内側折曲部を含み、前記内側折曲部が少なくとも前記樹脂フレームを固定する固定部として用いられる板金製のリアフレームとを備える、表示装置。
【請求項２】
前記リアフレームは、少なくとも後部筐体の一部を構成する、請求項１に記載の表示装置。
【請求項３】
前記リアフレームの内側折曲部は、背面側から見て、前記リアフレームの後部筐体を構成する部分に露出しないように設けられている、請求項２に記載の表示装置。
【請求項４】
前記リアフレームの内側折曲部は、前後方向に延びる側部と、前後方向に対して略垂直な方向に延びる前面部とを含むように折り曲げられた略Ｌ字形状を有し、
前記樹脂フレームは、前記内側折曲部の前面部に固定されるように構成されている、請求項３に記載の表示装置。
【請求項５】
前記樹脂フレームは、締結部材により前記内側折曲部に固定され、
前記リアフレームの内側折曲部は、前面側から背面側に向けて突出するように形成され、前記内側折曲部の前面部と前記リアフレームの縁部との間隔を維持する変形防止部を含む、請求項４に記載の表示装置。
【請求項６】
前記樹脂フレームは、第１位置決め部を含み、
前記リアフレームの内側折曲部は、前記樹脂フレームの第１位置決め部に対応する位置に形成された第２位置決め部を含む、請求項１〜５のいずれか１項に記載の表示装置。
【請求項７】
前記樹脂フレームの第１位置決め部は、背面側に向けて延びる先細りのボス形状に形成され、
前記リアフレームの第２位置決め部は、前記樹脂フレームの第１位置決め部が挿入される孔部と、バーリング加工によりボス形状の前記第１位置決め部が前記孔部に挿入される方向に向けて形成されたガイド部とを含む、請求項６に記載の表示装置。
【請求項８】
前記樹脂フレームは、前記第１位置決め部の近傍に形成される第１仮止め部を含み、
前記リアフレームは、前記第２位置決め部の近傍で、かつ、前記樹脂フレームの第１仮止め部に対応する位置に形成された第２仮止め部を含む、請求項６または７に記載の表示装置。
【請求項９】
前記樹脂フレームは、前記表示部の一辺に沿って延びるように形成されるとともに、長手方向の両端部に一対の外れ防止用の第１係合部を含み、
前記リアフレームは、前記樹脂フレームの第１係合部に対応する位置に形成された外れ防止用の第２係合部を含む、請求項８に記載の表示装置。
【請求項１０】
光源から出射された光を前面側に向けて反射させる反射シートをさらに備え、
前記リアフレームは、背面側に向けて窪む凹形状に形成され、
前記リアフレームの縁部近傍における前記内側折曲部の内側の部分には、前記反射シートを支持する支持部を含むように構成されている、請求項１〜９のいずれか１項に記載の表示装置。
【発明の詳細な説明】
【技術分野】
【０００１】
この発明は、表示装置に関し、特に、リアフレームを備える表示装置に関する。
【背景技術】
【０００２】
従来、リアフレームを備える表示装置が知られている（たとえば、特許文献１参照）。
【０００３】
上記特許文献１には、液晶パネル（表示部）と、液晶パネルの縁部近傍に配置され、液晶パネルを支持するランプフレームとを備える液晶モジュールが開示されている。この液晶モジュールは、液晶パネルの背面側に配置される板金製のリアフレームを含んでいる。また、リアフレームは、縁部が外側に向けて折り曲げられることにより形成された略Ｕ字形状のフランジ部を含み、フランジ部がランプフレームを固定する固定部として用いられるように構成されている。また、液晶モジュールは、フランジ部により液晶テレビ（表示装置）などのフロントキャビネットに固定されるように構成されている。また、この液晶モジュールでは、リアフレームにフランジ部を設けることにより、液晶パネルを支持するランプフレームをリアフレームに固定するための固定部材を抹消してランプフレームをリアフレームに直接固定するように構成されていると考えられる。これにより、専用の固定部材を設ける必要がない分、部品点数が増加するのを抑制していると考えられる。
【先行技術文献】
【特許文献】
【０００４】
【特許文献１】特開２０１１−１３３５４５号公報
【発明の概要】
【発明が解決しようとする課題】
【０００５】
しかしながら、上記特許文献１の液晶モジュールでは、上記のように、リアフレームにフランジ部を設けることにより部品点数の増加を抑制することができる一方、リアフレームの縁部が外側に向けて略Ｕ字形状に折り曲げられることによりフランジ部が形成されている。ここで、上記特許文献１の液晶モジュールを表示装置に適用した場合に、液晶モジュールのリアフレームを表示装置の後部筐体としても利用（兼用）することが考えられる。しかしながら、上記特許文献１の液晶モジュールのリアフレームでは、上記のようにリアフレームの縁部が外側に向けて略Ｕ字形状に折り曲げられることによりフランジ部が外側に露出するので後部筐体として適切に利用しにくい。
【０００６】
この発明は、上記のような課題を解決するためになされたものであり、この発明の１つの目的は、部品点数が増加するのを抑制し、かつ、リアフレームを適切に後部筐体として利用することが可能な表示装置を提供することである。
【課題を解決するための手段】
【０００７】
この発明の一の局面による表示装置は、表示部と、表示部の縁部近傍に配置され、表示部を背面側から支持する樹脂フレームと、表示部の背面側に配置されるとともに、縁部が前方側の内側に向けて折り曲げられることにより形成された内側折曲部を含み、内側折曲部が少なくとも樹脂フレームを固定する固定部として用いられる板金製のリアフレームとを備える。
【０００８】
この発明の一の局面による表示装置では、上記のように、リアフレームの縁部を前方側の内側に向けて折り曲げることにより内側折曲部を形成することによって、内側折曲部がリアフレームの外側に張り出す場合と異なり、内側折曲部がリアフレームの外部に露出されないので、リアフレームを適切に外部に露出する後部筐体として利用することができる。また、少なくとも樹脂フレームを固定する固定部として用いられる内側折曲部を含むリアフレームを設けることによって、表示部を支持する樹脂フレームをリアフレームに固定するための固定部材を抹消して樹脂フレームをリアフレームに直接固定することができるので、専用の固定部材を設ける必要がなく、その結果、部品点数が増加するのを抑制することができる。したがって、この表示装置では、部品点数が増加するのを抑制し、かつ、リアフレームを適切に後部筐体として利用することができる。また、リアフレームを表示装置の後部筐体として利用（兼用）することができるので表示装置の構造を簡素化することができる。
【０００９】
上記一の局面による表示装置において、好ましくは、リアフレームは、少なくとも後部筐体の一部を構成する。このように構成すれば、リアフレームを少なくとも後部筐体の一部として利用することができるので、リアフレームの背面側の覆う後部筺体を設ける必要がない。これにより、容易に、表示装置の構造を簡素化することができる。
【００１０】
この場合、好ましくは、リアフレームの内側折曲部は、背面側から見て、リアフレームの後部筐体を構成する部分に露出しないように設けられている。このように構成すれば、固定部としての内側折曲部がリアフレームの後部筐体を構成する部分に突出するのを抑制することができるので、樹脂フレームの固定部として用いられる内側折曲部を設けた場合でもリアフレームを後部筐体として用いることができる。
【００１１】
上記内側折曲部がリアフレームの後部筐体を構成する部分に露出しないように設けられている構成において、好ましくは、リアフレームの内側折曲部は、前後方向に延びる側部と、前後方向に対して略垂直な方向に延びる前面部とを含むように折り曲げられた略Ｌ字形状を有し、樹脂フレームは、内側折曲部の前面部に固定されるように構成されている。このように構成すれば、前面部の背面側のスペースを用いて樹脂フレームを前面部に固定することができるので、樹脂フレームをリアフレームに容易に固定することができる。
【００１２】
上記内側折曲部が略Ｌ字形状を有する構成において、好ましくは、樹脂フレームは、締結部材により内側折曲部に固定され、リアフレームの内側折曲部は、前面側から背面側に向けて突出するように形成され、内側折曲部の前面部とリアフレームの縁部との間隔を維持する変形防止部を含む。このように構成すれば、樹脂フレームが締結部材により内側折曲部に固定される際に、締結方向（前面側から背面側）に加えられる力により内側折曲部が変形してしまうのを抑制することができる。これにより、内側折曲部の変形に起因して、樹脂フレームが不安定な状態で内側折曲部（リアフレーム）に固定されるのを抑制することができる。
【００１３】
上記一の局面による表示装置において、好ましくは、樹脂フレームは、第１位置決め部を含み、リアフレームの内側折曲部は、樹脂フレームの第１位置決め部に対応する位置に形成された第２位置決め部を含む。このように構成すれば、樹脂フレームの第１位置決め部およびリアフレーム（内側折曲部）の第２位置決め部により、樹脂フレームをリアフレームに対して位置決めした状態で内側折曲部に固定することができるので、樹脂フレームを正確な位置に容易に固定することができる。
【００１４】
この場合、好ましくは、樹脂フレームの第１位置決め部は、背面側に向けて延びる先細りのボス形状に形成され、リアフレームの第２位置決め部は、樹脂フレームの第１位置決め部が挿入される孔部と、バーリング加工によりボス形状の第１位置決め部が孔部に挿入される方向に向けて形成されたガイド部とを含む。このように構成すれば、孔部に形成されたガイド部により、ボス形状の第１位置決め部をガイドしながら第２位置決め部の孔部に挿入することができるので、ボス形状の第１位置決め部を第２位置決め部の孔部に容易に挿入することができる。
【００１５】
上記樹脂フレームが第１位置決め部を含む構成において、好ましくは、樹脂フレームは、第１位置決め部の近傍に形成される第１仮止め部を含み、リアフレームは、第２位置決め部の近傍で、かつ、樹脂フレームの第１仮止め部に対応する位置に形成された第２仮止め部を含む。このように構成すれば、樹脂フレームの第１仮止め部およびリアフレームの第２仮止め部により、樹脂フレームをリアフレームに対して位置決めした状態を維持することができるので、樹脂フレームを正確な位置により容易に固定することができる。
【００１６】
上記第１仮止め部を含む構成において、好ましくは、樹脂フレームは、表示部の一辺に沿って延びるように形成されるとともに、長手方向の両端部に一対の外れ防止用の第１係合部を含み、リアフレームは、樹脂フレームの第１係合部に対応する位置に形成された外れ防止用の第２係合部を含む。このように構成すれば、樹脂フレームの両端部の第１係合部をリアフレームの第２係合部に係合させることにより、リアフレームに仮止めされた樹脂フレームがリアフレームから外れるのを容易に抑制することができる。
【００１７】
上記一の局面による表示装置において、好ましくは、光源から出射された光を前面側に向けて反射させる反射シートをさらに備え、リアフレームは、背面側に向けて窪む凹形状に形成され、リアフレームの縁部近傍における内側折曲部の内側の部分には、反射シートを支持する支持部を含むように構成されている。このように構成すれば、前面側から見て、支持部と内側折曲部とが互いに重ならない位置に配置されているので、反射シートを前面側から支持部に配置する際に内側折曲部が邪魔になるのを抑制することができる。これにより、反射シートを支持部に容易に配置することができる。
【発明の効果】
【００１８】
本発明によれば、上記のように、部品点数が増加するのを抑制し、かつ、リアフレームを適切に後部筐体として利用することができる。
【図面の簡単な説明】
【００１９】
【図１】本発明の一実施形態によるＴＶの全体構成を示した図である。
【図２】本発明の一実施形態によるＴＶの全体構成を示した分解斜視図である。
【図３】図１の２００−２００線に沿った断面図である。
【図４】本発明の一実施形態によるＴＶのリアフレームを示した図である。
【図５】本発明の一実施形態によるＴＶのリアフレームに配置した樹脂フレームを示した図である。
【図６】本発明の一実施形態によるＴＶのリアフレームに配置したベゼルを示した図である。
【図７】本発明の一実施形態によるＴＶの第１折曲部を示した図である。
【図８】本発明の一実施形態によるＴＶのリアフレームに固定した樹脂フレームを示した図である。
【図９】本発明の一実施形態によるＴＶの樹脂フレームをネジで締結した状態を示した図である。
【図１０】本発明の一実施形態によるＴＶの樹脂フレームを位置決めした状態を示した図である。
【図１１】本発明の一実施形態によるＴＶの変形防止部を示した図である。
【図１２】本発明の一実施形態によるＴＶの樹脂フレームを仮止めした状態を示した図である。
【図１３】図８の３００−３００線に沿った断面図である。
【図１４】本発明の一実施形態によるＴＶのリアフレームを形成する状態を示した図である。
【発明を実施するための形態】
【００２０】
以下、図１〜図１４を参照して、本発明の一実施形態によるＴＶ（テレビジョン装置）１００の構成について説明する。なお、ＴＶ１００は、本発明の「表示装置」の一例である。
【００２１】
本発明の一実施形態によるＴＶ１００は、図１および図２に示すように、開口部１ａを有する枠状のフロントフレーム１（図１参照）と、リアフレーム２とを備える。フロントフレーム１は、ＴＶ１００の前面側（Ｘ１方向側）を覆うように構成されている。また、フロントフレーム１の開口部１ａからは後述する液晶セル５１が露出されるように構成されている。また、フロントフレーム１は、樹脂により形成されている。また、リアフレーム２は、ＴＶ１００の背面側（Ｘ２方向側）を覆うように構成されている。また、ＴＶ１００は、チューナ１２０により、放送信号を受信可能なように構成されている。
【００２２】
また、ＴＶ１００の内部には、図２および図３に示すように、反射シート３と、ＬＥＤモジュール４と、光学部材５と、樹脂フレーム６と、ベゼル７とが配置されている。また、リアフレーム２の背面側（Ｘ２方向側）には、リアフレーム２の背面側に配置される基板（図示せず）などを覆うカバー８が配置されている。また、ＴＶ１００は、ＬＥＤモジュール４が光学部材５の背面側に配置されている直下型テレビジョン装置である。また、光学部材５は、図２に示すように、液晶セル５１や各種光学シート５２などにより構成されている。なお、液晶セル５１は、本発明の「表示部」の一例である。
【００２３】
ここで、本実施形態では、図２に示すように、リアフレーム２は、液晶セル５１の背面側（Ｘ２方向側）に配置されている。また、リアフレーム２は、ＳＥＣＣ（ｓｔｅｅｌ  ｅｌｅｃｔｒｉｃａｌｌｙ  ｃｈｒｏｍａｔｅ  ｃｏａｔｅｄ：電気亜鉛メッキ鋼）などの板金により形成されている。また、リアフレーム２は、ＴＶ１００の後部筐体（リアキャビネット）の一部を構成する後部筺体部２６を含んでいる。具体的には、図２および図３に示すように、リアフレーム２のＸ２方向側の中央近傍以外の外縁部およびその周辺部分が露出されるように樹脂製のカバー８が配置されることにより、後部筺体部２６が露出されるように構成されている。また、リアフレーム２は、Ｘ２方向側の中央近傍のみがカバー８により覆われるように構成されている。これにより、リアフレーム２は、ＴＶ１００の後部筺体の一部として用いられることが可能である。このように、リアフレーム２の後部筐体部２６とカバー８とによって、ＴＶ１００の後部筐体が構成されている。なお、後部筺体部２６およびカバー８は、本発明の「後部筺体」の一例である。
【００２４】
また、リアフレーム２は、図２および図４に示すように、Ｙ２方向の縁部２ａ、２ｂおよび２ｄが前方側（Ｘ１方向側）の内側（液晶セル５１の中心側）に向けて折り曲げられることにより形成された第１折曲部２１ａを含んでいる。また、第１折曲部２１ａは、平面視において、略矩形形状（図４参照）を有している。また、第１折曲部２１ａは、背面側（Ｘ２方向側）から見て、リアフレーム２の後部筺体を構成する部分（後部筺体部２６）（図３参照）に露出しない位置に形成されている。なお、第１折曲部２１ａは、本発明の「内側折曲部」の一例である。
【００２５】
また、第１折曲部２１ａは、図７、図９および図１０に示すように、前後方向（Ｘ方向）に延びる側部２１１と、前後方向に対して略垂直な方向に延びる前面部２１２とを含むように折り曲げられた略Ｌ字形状を有している。また、第１折曲部２１ａは、側部２１１と、縁部２ｄとが略９０度の角度で交差するように折り曲げられて形成されている。また、縁部２ｄと同様に、第１折曲部２１ａは、側部２１１と、縁部２ａおよび２ｂとが略９０度の角度で交差するように折り曲げられて形成されている。また、第１折曲部２１ａは、側部２１１と前面部２１２とが略９０度の角度で交差するように折り曲げられて形成されている。
【００２６】
また、第１折曲部２１ａは、図７および図１１に示すように、前面側から背面側（Ｘ１方向側からＸ２方向側）に向けて突出するように形成された変形防止部２１３を含んでいる。また、変形防止部２１３は、リアフレーム２の前面部２１２と、縁部２ａ、２ｂまたは２ｄとの間隔を維持する機能を有している。また、変形防止部２１３は、前面部２１２と略９０度の角度で交差するように折り曲げられて形成されている。また、第１折曲部２１ａは、変形防止部２１３の先端部２１３ａがリアフレーム２の縁部２ａ、２ｂまたは２ｄと所定の間隔Ｄ（図１１参照）だけ離間するように構成されている。
【００２７】
また、第１折曲部２１ａは、図９および図１１に示すように、樹脂フレーム６を位置決めするとともに、ネジ１１０により樹脂フレーム６を固定する固定部として用いられるように構成されている。また、第１折曲部２１ａは、図４に示すように、リアフレーム２のＹ１方向の縁部２ｂおよびＹ２方向の縁部２ｄにそれぞれ１つずつ形成されている。また、第１折曲部２１ａは、リアフレーム２のＺ１方向側の縁部２ａに複数個形成されている。なお、ネジ１１０は、本発明の「締結部材」の一例である。
【００２８】
また、第１折曲部２１ａは、図４に示すように、樹脂フレーム６の樹脂フレーム側位置決め部６１（図５参照）に対応する位置に形成されたリアフレーム側位置決め部２３を含んでいる。詳細には、図１０および図１１に示すように、リアフレーム側位置決め部２３は、樹脂フレーム６の樹脂フレーム側位置決め部６１が挿入される孔部２３１と、ボス形状の樹脂フレーム側位置決め部６１が孔部２３１に挿入される方向（Ｘ２方向）に向けて形成されたガイド部２３２とを含んでいる。また、第１折曲部２１ａは、図９および図１１に示すように、樹脂フレーム６を固定するためのネジ１１０が挿入されるネジ孔２４を含んでいる。なお、リアフレーム側位置決め部２３は、本発明の「第２位置決め部」の一例である。
【００２９】
第２折曲部２１ｂは、ネジ１１０により樹脂フレーム６を固定する固定部として用いられるように構成されている。第２折曲部２１ｂは、図４に示すように、リアフレーム２のＹ１方向の縁部２ｂおよびＹ２方向の縁部２ｄにそれぞれ複数個形成されている。また、第２折曲部２１ｂは、樹脂フレーム６を位置決めする部分を有していない点を除いて、第１折曲部２１ａと同様の機能（ネジ１１０により樹脂フレーム６を固定する機能）を有している。なお、第２折曲部２１ｂは、本発明の「内側折曲部」の一例である。
【００３０】
また、第２折曲部２１ｂは、第１折曲部２１ａと同様、図２および図４に示すように、Ｙ２方向の縁部２ａ、２ｂおよび２ｄが前方側（Ｘ１方向側）の内側（液晶セル５１の中心側）に向けて折り曲げられることにより形成されている。また、第２折曲部２１ｂは、第１折曲部２１ａと同様、平面視において、略矩形形状（図４参照）を有している。また、第２折曲部２１ｂは、第１折曲部２１ａと同様、背面側（Ｘ２方向側）から見て、リアフレーム２から露出しない位置に形成されている。また、第２折曲部２１ｂは、第１折曲部２１ａと同様に、前後方向（Ｘ方向）に延びる側部２１１と、前後方向に対して略垂直な方向に延びる前面部２１２とを含むように略９０度に折り曲げられた略Ｌ字形状を有している。また、第２折曲部２１ｂは、第１折曲部２１ａと同様、前面側から背面側（Ｘ１方向側からＸ２方向側）に向けて突出するように形成された変形防止部２１３を含んでいる。
【００３１】
仮止め保持部２１ｃは、図１２に示すように、樹脂フレーム６を仮止めするように構成されている。仮止め保持部２１ｃは、図４に示すように、リアフレーム２のＹ１方向の縁部２ｂおよびＹ２方向の縁部２ｄにそれぞれ１つずつ形成されている。また、仮止め保持部２１ｃは、リアフレーム２のＺ１方向側の縁部２ａに複数個形成されている。また、仮止め保持部２１ｃは、樹脂フレーム６の樹脂フレーム側仮止め保持部６２（図５参照）に対応する位置に形成されている。また、仮止め保持部２１ｃは、リアフレーム側位置決め部２３（第１折曲部２１ａ）の近傍に形成されている。なお、仮止め保持部２１ｃは、本発明の「第２仮止め部」の一例である。
【００３２】
また、仮止め保持部２１ｃは、第１折曲部２１ａと同様、図２および図４に示すように、Ｙ２方向の縁部２ａ、２ｂおよび２ｄが前方側（Ｘ１方向側）の内側（液晶セル５１の中心側）に向けて折り曲げられることにより形成されている。また、仮止め保持部２１ｃは、第１折曲部２１ａと同様、平面視において、略矩形形状（図４参照）を有している。また、仮止め保持部２１ｃは、第１折曲部２１ａと同様、背面側（Ｘ２方向側）から見て、リアフレーム２から露出しない位置に形成されている。また、図１２に示すように、仮止め保持部２１ｃは、第１折曲部２１ａと同様、前後方向（Ｘ方向）に延びる側部２１１と、前後方向に対して略垂直な方向に延びる前面部２１２とを含むように略９０度に折り曲げられた略Ｌ字形状を有している。また、仮止め保持部２１ｃは、第１折曲部２１ａと同様、前面側から背面側（Ｘ１方向側からＸ２方向側）に向けて突出するように形成された変形防止部２１３を含んでいる。
【００３３】
外れ防止部２１ｄは、図８および図１３に示すように、リアフレーム２に仮止めされた樹脂フレーム６が外れるのを防止するように構成されている。具体的には、樹脂フレーム６の樹脂フレーム側外れ防止部６３に係合する切欠部２５が、Ｚ方向の内側に形成されている。また、外れ防止部２１ｄは、図４に示すように、リアフレーム２のＹ１方向の縁部２ｂおよびＹ２方向の縁部２ｄに、それぞれ、一対形成されている。また、一対の外れ防止部２１ｄは、縁部２ｂおよび２ｄそれぞれのＺ方向の両端部近傍に形成されている。また、外れ防止部２１ｄは、樹脂フレーム６の樹脂フレーム側外れ防止部６３（図５参照）に対応する位置に形成されている。なお、切欠部２５は、本発明の「第２係合部」の一例である。
【００３４】
また、外れ防止部２１ｄは、第１折曲部２１ａと同様、図２および図４に示すように、Ｙ２方向の縁部２ａ、２ｂおよび２ｄが前方側（Ｘ１方向側）の内側（液晶セル５１の中心側）に向けて折り曲げられることにより形成されている。また、外れ防止部２１ｄは、第１折曲部２１ａと同様、平面視において、略矩形形状（図４参照）を有している。また、外れ防止部２１ｄは、第１折曲部２１ａと同様、背面側（Ｘ２方向側）から見て、リアフレーム２から露出しない位置に形成されている。また、図１３に示すように、外れ防止部２１ｄは、第１折曲部２１ａと同様、前後方向（Ｘ方向）に延びる側部２１１と、前後方向に対して略垂直な方向に延びる前面部２１２とを含むように略９０度に折り曲げられた略Ｌ字形状を有している。また、外れ防止部２１ｄは、第１折曲部２１ａと同様、前面側から背面側（Ｘ１方向側からＸ２方向側）に向けて突出するように形成された変形防止部２１３を含んでいる。
【００３５】
また、リアフレーム２は、図３に示すように、背面側（Ｘ２方向側）に向けて窪む凹形状に形成されている。また、図９、図１０、図１２および図１３に示すように、リアフレーム２の第１折曲部２１ａ、第２折曲部２１ｂ、仮止め保持部２１ｃおよび外れ防止部２１ｄの内側（液晶セル５１の中心側）の部分には、反射シート３を支持する支持部２２が含まれている。また、支持部２２は、リアフレーム２の縁部２ａ〜２ｄにそれぞれ形成されている。また、支持部２２は、光学部材５（液晶セル５１）と略平行になるように形成されている。また、支持部２２は、反射シート３の縁部３ａ近傍を支持するように構成されている。
【００３６】
反射シート３は、図２に示すように、リアフレーム２の前面側（Ｘ１方向側）に配置されている。反射シート３は、ＬＥＤ４２から出射された光を前面側に向けて反射させる機能を有している。また、反射シート３は、図３に示すように、リアフレーム２の形状に対応する凹形状に形成されている。なお、ＬＥＤ４２は、本発明の「光源」の一例である。
【００３７】
ＬＥＤモジュール４は、図２に示すように、反射シート３の前面側（Ｘ１方向側）に３つ配置されている。また、ＬＥＤモジュール４は、ＬＥＤ基板４１と、ＬＥＤ基板４１に配置されるＬＥＤ４２とを含んでいる。
【００３８】
光学部材５は、図９、図１０、図１２および図１３に示すように、各種光学シート５２の前面側（Ｘ１方向側）に液晶セル５１が配置されるように構成されている。また、液晶セル５１の縁部の前面側（Ｘ１方向側）および背面側（Ｘ２方向側）は、クッション部材１３０を介して、ベゼル７および樹脂フレーム６に挟み込まれるように構成されている。
【００３９】
また、本実施形態では、樹脂フレーム６は、図９、図１０および図１２に示すように、液晶セル５１の縁部近傍に配置され、液晶セル５１を背面側（Ｘ２方向側）から支持するように構成されている。また、樹脂フレーム６は、リアフレーム２に固定されるためのネジ１１０が挿入されるネジ孔６４（図５参照）を含んでいる。また、樹脂フレーム６は、図２および図５に示すように、上側樹脂フレーム６ａと、右側樹脂フレーム６ｂと、下側樹脂フレーム６ｃと、左側樹脂フレーム６ｄとにより構成されている。また、上側樹脂フレーム６ａ、右側樹脂フレーム６ｂおよび左側樹脂フレーム６ｄは、第１折曲部２１ａおよび第２折曲部２１ｂの前面部２１２に固定されることによりリアフレーム２に固定されるように構成されている。また、下側樹脂フレーム６ｃは、第１折曲部２１ａおよび第２折曲部２１ｂを介さず、直接、リアフレーム２に固定されるように構成されている。
【００４０】
詳細には、左側樹脂フレーム６ｄは、図９および図１１に示すように、ネジ１１０により第１折曲部２１ａに固定されるように構成されている。また、左側樹脂フレーム６ｄは、第１折曲部２１ａと同様に、ネジ１１０により第２折曲部２１ｂに固定されるように構成されている。また、左側樹脂フレーム６ｄは、図５に示すように、リアフレーム２のリアフレーム側位置決め部２３（図４参照）に対応する位置に樹脂フレーム側位置決め部６１を含んでいる。また、樹脂フレーム側位置決め部６１は、図１０および図１１に示すように、背面側（Ｘ２方向側）に向けて延びる先細りのボス形状に形成されている。また、左側樹脂フレーム６ｄと同様に、上側樹脂フレーム６ａおよび右側樹脂フレーム６ｂは、リアフレーム２のリアフレーム側位置決め部２３に対応する位置に樹脂フレーム側位置決め部６１を含んでいる。また、左側樹脂フレーム６ｄと同様に、上側樹脂フレーム６ａおよび右側樹脂フレーム６ｂの樹脂フレーム側位置決め部６１は、背面側に向けて延びる先細りのボス形状に形成されている。なお、樹脂フレーム側位置決め部６１は、本発明の「第１位置決め部」の一例である。
【００４１】
また、左側樹脂フレーム６ｄは、図５に示すように、樹脂フレーム側位置決め部６１の近傍に形成される樹脂フレーム側仮止め保持部６２を含んでいる。具体的には、樹脂フレーム側仮止め保持部６２は、Ｘ１方向に向けて延びるフック形状（図１２参照）を有している。また、左側樹脂フレーム６ｄと同様に、上側樹脂フレーム６ａおよび右側樹脂フレーム６ｂは、樹脂フレーム側位置決め部６１の近傍に形成される樹脂フレーム側仮止め保持部６２を含んでいる。また、樹脂フレーム６は、液晶セル５１の一辺に沿って延びるように形成されるとともに、長手方向（Ｚ方向）の両端部に一対の樹脂フレーム側外れ防止部６３を含んでいる。また、図８および図１３に示すように、樹脂フレーム側外れ防止部６３は、外れ防止部２１ｄの切欠部２５に係合するように形成されている。なお、樹脂フレーム側仮止め保持部６２は、本発明の「第１仮止め部」の一例である。また、樹脂フレーム側外れ防止部６３は、本発明の「第１係合部」の一例である。
【００４２】
ベゼル７は、図２、図６および図９〜図１３に示すように、樹脂フレーム６の前面側（Ｘ１方向側）に配置されている。また、ベゼル７は、樹脂フレーム６に対応した枠状（図５参照）に形成されている。また、ベゼル７は、ＳＥＣＣにより形成されている。
【００４３】
次に、図９〜図１４を参照して、本発明の一実施形態によるリアフレーム２の製造方法について説明する。
【００４４】
まず、板金をリアフレーム２に対応する形状に形成する。この際、リアフレーム２に対応する形状に形成された板金は、略平坦面形状を有している。次に、バーリング加工により、樹脂フレーム６の樹脂フレーム側位置決め部６１が挿入される孔部２３１と、樹脂フレーム側位置決め部６１が孔部２３１に挿入される方向に向けて形成されたガイド部２３２とを所定の位置に形成する。
【００４５】
そして、図１４に示すように、金型１５０ａおよび１５０ｂを用いたカム成形により、左右両側から板金を挟み込んで第１折曲部２１ａ、第２折曲部２１ｂ、仮止め保持部２１ｃおよび外れ防止部２１ｄを成形する。このようにして、図９〜図１３に示すリアフレーム２を形成する。また、カム成形により左右両側から板金を挟み込んで第１折曲部２１ａ、第２折曲部２１ｂ、仮止め保持部２１ｃおよび外れ防止部２１ｄを成形することによって、外側のみならず内側からもプレスを行うことができるので、第１折曲部２１ａ、第２折曲部２１ｂ、仮止め保持部２１ｃおよび外れ防止部２１ｄを精度よく成形することが可能である。また、第１折曲部２１ａ、第２折曲部２１ｂ、仮止め保持部２１ｃおよび外れ防止部２１ｄの外側と内側との両側から同時にプレスを行うことができるので、段階的にプレスを行う場合と異なり、プレスの工程数を削減することができる。これにより、生産性を向上させることが可能である。
【００４６】
本実施形態では、上記のように、リアフレーム２の縁部２ａ、２ｂおよび２ｄを前方側の内側に向けて折り曲げることにより第１折曲部２１ａおよび第２折曲部２１ｂを形成することによって、第１折曲部２１ａおよび第２折曲部２１ｂがリアフレーム２の外側に張り出す場合と異なり、第１折曲部２１ａおよび第２折曲部２１ｂがリアフレーム２の外部に露出されないので、リアフレーム２を適切に外部に露出する後部筐体として利用することができる。また、樹脂フレーム６を固定する固定部として用いられる第１折曲部２１ａおよび第２折曲部２１ｂを含むリアフレーム２を設けることによって、液晶セル５１を支持する樹脂フレーム６をリアフレーム２に固定するための固定部材を抹消して樹脂フレーム６をリアフレーム２に直接固定することができるので、専用の固定部材を設ける必要がなく、その結果、部品点数が増加するのを抑制することができる。したがって、このＴＶ１００では、部品点数が増加するのを抑制し、かつ、リアフレーム２を適切に後部筐体として利用することができる。また、リアフレーム２をＴＶ１００の後部筐体としても利用（兼用）することができるので、ＴＶ１００の構造を簡素化することができる。
【００４７】
また、本実施形態では、上記のように、後部筐体部２６を構成するリアフレーム２を設ける。これにより、リアフレーム２を後部筐体の一部として利用することができるので、リアフレーム２の背面側を覆う後部筺体を設ける必要がない。これにより、容易に、ＴＶ１００の構造を簡素化することができる。
【００４８】
また、本実施形態では、上記のように、背面側から見て、リアフレーム２の後部筐体部２６を構成する部分に露出しないように第１折曲部２１ａおよび第２折曲部２１ｂを形成する。これにより、固定部としての第１折曲部２１ａおよび第２折曲部２１ｂがリアフレーム２の背面側に突出するのを抑制することができるので、樹脂フレーム６の固定部として用いられる第１折曲部２１ａおよび第２折曲部２１ｂを設けた場合でもリアフレーム２を後部筐体として用いることができる。
ができる。
【００４９】
また、本実施形態では、上記のように、前後方向に延びる側部２１１と、前後方向に対して略垂直な方向に延びる前面部２１２とを含む略Ｌ字形状に第１折曲部２１ａおよび第２折曲部２１ｂを形成し、第１折曲部２１ａおよび第２折曲部２１ｂの前面部２１２に樹脂フレーム６を固定するように構成する。これにより、前面部２１２の背面側のスペースを用いて樹脂フレーム６を前面部２１２に固定することができるので、樹脂フレーム６をリアフレーム２に容易に固定することができる。
【００５０】
また、本実施形態では、上記のように、ネジ１１０により樹脂フレーム６を第１折曲部２１ａおよび第２折曲部２１ｂに固定するとともに、第１折曲部２１ａおよび第２折曲部２１ｂの前面部２１２とリアフレーム２の縁部２ａ、２ｂおよび２ｄとの間隔を維持する変形防止部２１３を第１折曲部２１ａおよび第２折曲部２１ｂに設ける。これにより、樹脂フレーム６がネジ１１０により第１折曲部２１ａおよび第２折曲部２１ｂに固定される際に、締結方向（前面側から背面側）に加えられる力により第１折曲部２１ａおよび第２折曲部２１ｂが変形してしまうのを抑制することができる。
【００５１】
また、本実施形態では、上記のように、樹脂フレーム側位置決め部６１を樹脂フレーム６に形成し、樹脂フレーム６の樹脂フレーム側位置決め部６１に対応する位置に形成されたリアフレーム側位置決め部２３を第１折曲部２１ａおよび第２折曲部２１ｂに設ける。これにより、樹脂フレーム側位置決め部６１およびリアフレーム側位置決め部２３により、樹脂フレーム６をリアフレーム２に対して位置決めした状態で第１折曲部２１ａおよび第２折曲部２１ｂに固定することができるので、樹脂フレーム６を正確な位置に容易に固定することができる。
【００５２】
また、本実施形態では、上記のように、先細りのボス形状に樹脂フレーム６の樹脂フレーム側位置決め部６１を形成し、樹脂フレーム６の樹脂フレーム側位置決め部６１が挿入される孔部２３１と、ボス形状の樹脂フレーム側位置決め部６１を挿入する方向に向けて形成されたガイド部２３２とを含むリアフレーム２のリアフレーム側位置決め部２３を形成する。これにより、ガイド部２３２により、ボス形状の樹脂フレーム側位置決め部６１をガイドしながらリアフレーム側位置決め部２３の孔部２３１に挿入することができるので、ボス形状の樹脂フレーム側位置決め部６１をリアフレーム側位置決め部２３の孔部２３１に容易に挿入することができる。
【００５３】
また、本実施形態では、上記のように、樹脂フレーム側位置決め部６１の近傍に形成される樹脂フレーム側仮止め保持部６２を樹脂フレーム６に形成し、リアフレーム側位置決め部２３の近傍で、かつ、樹脂フレーム６の樹脂フレーム側仮止め保持部６２に対応する位置に形成された仮止め保持部２１ｃを含むリアフレーム２を形成する。これにより、樹脂フレーム６の樹脂フレーム側仮止め保持部６２およびリアフレーム２の仮止め保持部２１ｃにより、樹脂フレーム６をリアフレーム２に対して位置決めした状態を維持することができるので、樹脂フレーム６を正確な位置により容易に固定することができる。
【００５４】
また、本実施形態では、上記のように、長手方向の両端部に一対の樹脂フレーム側外れ防止部６３を含む樹脂フレーム６を形成し、樹脂フレーム６の樹脂フレーム側外れ防止部６３に対応する位置に形成された外れ防止部２１ｄを含むリアフレーム２を形成する。これにより、樹脂フレーム６の両端部の樹脂フレーム側外れ防止部６３をリアフレーム２の外れ防止部２１ｄに係合させることにより、リアフレーム２に仮止めされた樹脂フレーム６がリアフレーム２から外れるのを容易に抑制することができる。
【００５５】
また、本実施形態では、上記のように、反射シート３を設けるとともに、背面側に向けて窪む凹形状のリアフレーム２を設け、リアフレーム２の縁部近傍における第１折曲部２１ａおよび第２折曲部２１ｂの内側の部分に反射シート３を支持する支持部２２を含むようにリアフレーム２を構成する。これにより、前面側から見て、支持部２２と第１折曲部２１ａおよび第２折曲部２１ｂとが互いに重ならない位置に配置されているので、反射シート３を前面側から支持部２２に配置する際に第１折曲部２１ａおよび第２折曲部２１ｂが邪魔になるのを抑制することができる。これにより、反射シート３を支持部２２に容易に配置することができる。
【００５６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５７】
たとえば、上記実施形態では、本発明を表示装置としてのＴＶ（テレビジョン装置）に適用する例を示したが、本発明はこれに限られない。本発明は、ＰＣ（Ｐｅｒｓｏｎａｌ  Ｃｏｍｐｕｔｅｒ）のモニタなどの他の表示装置にも適用可能である。
【００５８】
また、上記実施形態では、本発明の内側折曲部としての第１折曲部および第２折曲部に変形防止部を設ける例を示したが、本発明はこれに限られない。本発明では、内側折曲部に変形防止部を設けなくてもよい。
【００５９】
また、上記実施形態では、本発明の締結部材としてのネジにより、樹脂フレームを本発明の内側折曲部としての第１折曲部および第２折曲部に固定する例を示したが、本発明はこれに限られない。本発明では、締結部材以外の、たとえば、フックや接着剤などにより樹脂フレームを内側折曲部に固定してもよい。
【００６０】
また、上記実施形態では、本発明の内側折曲部としての第１折曲部および第２折曲部をリアフレームの４つの縁部のうち上側の縁部２ａ、右側の縁部２ｂおよび左側の縁部２ｄに設けた例を示したが、本発明はこれに限られない。本発明では、リアフレームの４つの縁部（上側の縁部２ａ、右側の縁部２ｂ、下側の縁部２ｃおよび左側の縁部２ｄ）すべてに内側折曲部を設けてもよい。また、リアフレームの４つの縁部のうち、いずれか、１つ、２つまたは３つの縁部に内側折曲部を設けてもよい。
【００６１】
また、上記実施形態では、樹脂フレームを位置決めする本発明の第２位置決め部としてのリアフレーム側位置決め部を含むとともに、樹脂フレームを固定する固定部として用いられる本発明の内側折曲部としての第１折曲部を設けた例を示したが、本発明はこれに限られない。本発明では、固定部として用いられる内側折曲部であれば、第２位置決め部、第２係合部および第２仮止め部のうちいずれか１つ以上を含んでいてもよい。
【００６２】
また、上記実施形態では、樹脂フレームを本発明の内側折曲部としての第１折曲部および第２折曲部に固定する例を示したが、本発明はこれに限られない。本発明では、樹脂フレームに加えて、樹脂フレーム以外の部品も樹脂フレームに合わせて内側折曲部に固定してもよい。
【００６３】
また、上記実施形態では、樹脂フレームが４つの上側樹脂フレーム６ａと、右側樹脂フレーム６ｂと、下側樹脂フレーム６ｃと、左側樹脂フレーム６ｄを含む例を示したが、本発明はこれに限られない。本発明では、樹脂フレームが枠状に一体的に形成されていてもよい。
【００６４】
また、上記実施形態では、リアフレームのＸ２方向側の外縁部が露出させることにより、後部筺体部（後部筺体）を構成する例を示したが、本発明はこれに限られない。本発明では、リアフレームのＸ２方向側の全体を露出させることにより、後部筺体を構成してもよい。
【００６５】
また、上記実施形態では、リアフレームをＳＥＣＣにより形成する例を示したが、本発明はこれに限られない。本発明では、ＳＥＣＣ以外の、たとえば、ＳＧＣＣ（溶融亜鉛めっき鋼板）やＰＣＭ鋼板などの板金でリアフレームを形成してもよい。また、ＰＣＭ鋼板によりリアフレームを形成した場合には、ＰＣＭ鋼板に予め塗装が施されているのでリアフレームに塗装を施す必要がなく、その分、製造工程を簡略化することができる。
【符号の説明】
【００６６】
２  リアフレーム
３  反射シート
６  樹脂フレーム
８  カバー（後部筺体）
２１ａ  第１折曲部（内側折曲部）
２１ｂ  第２折曲部（内側折曲部）
２１ｃ  仮止め保持部（第２仮止め部）
２１ｄ  外れ防止部
２２  支持部
２３  リアフレーム側位置決め部（第２位置決め部）
２５  切欠部（第２係合部）
２６  後部筺体部（後部筺体）
４２  ＬＥＤ（光源）
５１  液晶セル（表示部）
６１  樹脂フレーム側位置決め部（第１位置決め部）
６２  樹脂フレーム側仮止め保持部（第１仮止め部）
６３  樹脂フレーム側外れ防止部（第１係合部）
１００  ＴＶ（表示装置）
１１０  ネジ（締結部材）
２１１  側部
２１２  前面部
２１３  変形防止部
２３１  孔部
２３２  ガイド部
【図１】
2014134595.tif 000003
【図２】
2014134595.tif 000004
【図３】
2014134595.tif 000005
【図４】
2014134595.tif 000006
【図５】
2014134595.tif 000007
【図６】
2014134595.tif 000008
【図７】
2014134595.tif 000009
【図８】
2014134595.tif 000010
【図９】
2014134595.tif 000011
【図１０】
2014134595.tif 000012
【図１１】
2014134595.tif 000013
【図１２】
2014134595.tif 000014
【図１３】
2014134595.tif 000015
【図１４】
2014134595.tif 000016